(57)【要約】【課題】  入賞球を利用したゲーム展開の自由度を拡大して個々の入賞球に意義を持たせた新規なゲーム構成を、限られた遊技盤面のスペース内で構築可能な入賞装置を提供する。【解決手段】  遊技球を貯留する貯留通路１２０および装置外部に排出させる排出通路１３０を有し入賞口１１２に落入した遊技球の流下経路を切り替えて流下させる球貯留機構１００と、遊技球を受容可能な球受け部を正逆両方向に回動可能な回転盤を備え貯留通路を介して導かれた遊技球を回転盤の回動により第１導出口または第２導出口に移動させて排出させる振り分け機構２００と、第１導出口に排出された遊技球を入賞口１１２よりも上方に搬送する揚送機構３００とを設けて弾球遊技機の入賞装置を構成する。【選択図】  図１
2005342349.tif 000002
【特許請求の範囲】
【請求項１】
遊技球が落入可能な入賞口、前記入賞口に落入した遊技球を順次貯留し得る貯留通路、前記入賞口に落入した遊技球を排出させる排出通路、前記入賞口に落入した遊技球の流下経路を前記貯留通路または前記排出通路に切り替えて流下させる流路切り替え構造、前記貯留通路が貯留された遊技球で充満されたことを検出する充満検出手段、および前記流路切り替え構造の作動を制御する流路制御手段を有し、前記流路制御手段は、前記充満検出手段において前記貯留通路の充満状態が検出されていないときには前記遊技球の流下経路を前記貯留通路側に設定して前記入賞口に落入した遊技球を前記貯留通路に導き、前記充満検出手段において前記貯留通路の充満状態が検出されているときには前記遊技球の流下経路を前記排出通路側に切り替えて前記入賞口に落入した遊技球を前記排出通路に導くように構成された球貯留機構と、
前記貯留通路の下流側に設けられた回転盤収容部、外周側に遊技球を受容可能な球受け部を有して前記回転盤収容部に回動可能に設けられた球受け回転盤、前記球受け回転盤を時計廻りおよび反時計廻りに回動させる回転盤駆動構造、前記貯留通路の下流部に設けられ前記入賞口から導かれた遊技球を基準位置にある前記球受け回転盤の前記球受け部に導く導入口、前記導入口を挟んで設けられ前記球受け回転盤の回動により前記球受け部に受容されて移動された遊技球を導出する第１導出口ならびに第２導出口、および前記回転盤駆動構造の作動を制御する回転盤制御手段を有し、前記回転盤制御手段が入賞条件に基づいて前記球受け回転盤を時計廻りまたは反時計廻りに回動させ、前記基準位置において前記球受け部に受容された遊技球を前記第１導出口または第２導出口に排出させるように構成された振り分け機構と、
前記第１導出口および前記第２導出口の何れか一方に排出された遊技球を前記入賞口よりも上方に搬送する揚送機構と
を備えたことを特徴とする弾球遊技機の入賞装置。
【発明の詳細な説明】
【技術分野】
【０００１】
本発明は、弾球遊技機に用いられる入賞装置に関し、なお詳細には、入賞口に落入した遊技球を装置内部に貯留する貯留通路（球貯留部）および装置外部に排出させる排出通路を有する球貯留機構と、遊技球を受容可能な球受け部を正逆両方向に回動可能な球受け回転盤を備え入賞口から導かれた遊技球を球受け回転盤の回動により第１導出口または第２導出口に移動させて排出させる振り分け機構と、を備えた複合的な入賞装置に関する。
【背景技術】
【０００２】
上記のような球貯留機構と振り分け機構とを備えた複合的な入賞装置は、従来からパチンコ機等の弾球遊技機に用いられている。これら各々の機構および組み合わせには種々の形態があるが、球貯留機構としては、一般的に所定期間開放される可変入賞口を有し、この所定期間内に入賞口に落入した遊技球が貯留通路または排出通路の何れかに流入して流下し、その流下した通路に応じて遊技条件を設定したり、貯留された遊技球を一度に崩落させてその後の遊技が展開されるように構成されていた。すなわち、入賞装置に落入した遊技球は、貯留通路に貯留可能な数量（最大貯留球数）まで順次貯留されたうえで余剰球が排出される形態ではなく、入賞口に落入する時の運動方向や入賞装置内での遊技球同士の衝突等によっていずれの通路に流入するかが不確定であり、例えば３個貯留し得る入賞装置に５個の遊技球が落入した場合に、このうち１個目および４個目が貯留通路側に流下し、２，３，５個目が排出通路側に流下するという状況が発生しても、これを許容し得るような構成になっていた。（例えば、特許文献１、特許文献２）。
【０００３】
また振り分け機構としては、一般的に、外周側に遊技球を受容可能な球受け部を有して回動可能に設けられた球受け回転盤と、球受け回転盤を時計廻りおよび反時計廻りに回動させる回転盤駆動構造と、入賞口から導かれた遊技球を基準位置にある球受け回転盤の球受け部に導く導入口と、球受け回転盤の回動により球受け部に受容されて移動された遊技球を導出する第１導出口および第２導出口と、回転盤駆動構造の作動を制御する回転盤制御手段とを備えて構成され、回転盤制御手段が入賞条件に基づいて球受け回転盤を時計廻りまたは反時計廻り（正・逆方向）に回動させ、球受け部に受容された遊技球を第１導出口または第２導出口に排出させて、排出された導出口に応じた遊技を展開するように構成されていた。（例えば、特許文献２）。
【０００４】
【特許文献１】特開平８−１８２８３１号公報
【特許文献２】特開２００１−３４０５７５号公報
【発明の開示】
【発明が解決しようとする課題】
【０００５】
ところが、上記のような従来の入賞装置では、以下に示すような構成機構単独の問題と複合化に伴う問題とがあった。例えば、球貯留機構単独の問題として、最大貯留球数を超える数量の遊技球が入賞口に入賞したにも拘わらず、装置内部で遊技球が弾き合って排出通路側に流下してしまう状況が生じ、享受し得る遊技展開上の利益を受けられなかった遊技者に不満を感じさせることがあった。特に上記のような状況が度重なると、遊技者は次第に不快感を抱くようになり、当該機種の遊技機が全般的に忌避されて稼働率が低下する虞もあった。
【０００６】
また、球貯留機構と振り分け機構との複合化に伴う問題として、貯留通路に貯留された遊技球（貯留球という）を次段の振り分け機構で振り分けて新たな遊技を展開するゲーム構成にしようとしても、貯留通路に貯留された貯留球の有無及び数量が不確定な状況では、新たな遊技の存立自体が不確定であり、これを無理に行えば遊技球が存在しない状態で空虚な作動が行われたり、一定時間内に通過すべき遊技球が検出されないことからエラーを発生する虞があるという問題があった。
【０００７】
特に、入賞口に落入した入賞球に対応して抽選を行い、この抽選結果に基づいて当該入賞球を次のステップの流下通路に振り分けて遊技を展開するような、個々の入賞球に固有の意義を持たせた１：１対応のゲーム構成にするためには、入賞口に落入した遊技球を最大貯留球数まで順次貯留通路に貯留して、その貯留された順に貯留球を振り分け処理する必要があるが、上記のように貯留球の数量が不確定でありかつ個々の入賞球が特段の意義を持たない従来の入賞装置では、このようなゲーム構成を構築することが困難であるという課題があった。
【０００８】
さらに、このような入賞装置は機構の複合化により大型となるが、貯留機構および振り分け機構は入賞口よりも下側に設ける必要がある、一方パチンコ機等の遊技盤は所定の規格寸法で形成され、盤面の中央には図柄表示装置を有する中央飾りが設けられている。その結果、入賞装置は中央飾りよりも下側に入賞口を設けたうえアウト口までの限られた高さ寸法内に収める必要があり、振り分け機構により振り分けられた遊技球を利用してさらに新たなゲームを展開するような装置及びゲーム構成を採ることが、遊技盤のレイアウト上困難であるという問題もあった。
【０００９】
本発明は上記のような事情に鑑みて成されたものであり、遊技者の期待感を害することなく、入賞球を利用したゲーム展開の自由度を拡大して個々の入賞球に固有の意義を持たせた斬新なゲーム構成を、限られた遊技盤面のスペース内で構築可能な入賞装置を提供することを目的とする。
【課題を解決するための手段】
【００１０】
上記目的達成のため、本発明に係る入賞装置は、概観的には、Ａ：遊技球を貯留する貯留通路および装置外部に排出させる排出通路を有し入賞口に落入した遊技球の流下経路を切り替えて流下させる球貯留機構と、Ｂ：遊技球を受容可能な球受け部を正逆両方向に回動可能な球受け回転盤を備え貯留通路を介して導かれた遊技球を球受け回転盤の回動により第１導出口または第２導出口に移動させて排出させる振り分け機構と、Ｃ：第１導出口および第２導出口の何れか一方に排出された遊技球を入賞口よりも上方に搬送する揚送機構とを備えて構成される。
【００１１】
ここで、Ａ：貯留機構は、遊技球が落入可能な入賞口、入賞口に落入した遊技球を順次貯留し得る貯留通路、入賞口に落入した遊技球を排出させる排出通路、入賞口に落入した遊技球の流下経路を貯留通路または排出通路に切り替えて流下させる流路切り替え構造、貯留通路が貯留された遊技球で充満されたことを検出する充満検出手段（例えば、実施形態における貯留部満杯検出器１５１、貯留部満杯判定手段５１３）、、および流路切り替え構造の作動を制御する流路制御手段（例えば、実施形態におけるシャッター駆動制御手段５１４等）を有し、流路制御手段は、充満検出手段において貯留通路の充満状態が検出されていないときには遊技球の流下経路を貯留通路側に設定して入賞口に落入した遊技球を貯留通路に導き、充満検出手段において貯留通路の充満状態が検出されているときには遊技球の流下経路を排出通路側に切り替えて入賞口に落入した遊技球を排出通路に導くように構成される。
【００１２】
Ｂ：振り分け機構は、上記貯留通路の下流側に設けられた回転盤収容部、外周側に遊技球を受容可能な球受け部を有して回転盤収容部に回動可能に設けられた球受け回転盤（例えば、実施形態における第１回転体２２０）、球受け回転盤を時計廻りおよび反時計廻りに回動させる回転盤駆動構造、貯留通路の下流部に設けられ入賞口から導かれた遊技球を基準位置にある球受け回転盤の球受け部に導く導入口、導入口を挟んで設けられ球受け回転盤の回動により球受け部に受容されて移動された遊技球を導出する第１導出口ならびに第２導出口、および回転盤駆動構造の作動を制御する回転盤制御手段（例えば、実施形態における第１回転体駆動制御手段５１５等）を有し、回転盤制御手段が入賞条件に基づいて球受け回転盤を時計廻りまたは反時計廻りに回動させ、基準位置において球受け部に受容された遊技球を第１導出口または第２導出口に排出させるように構成される。
【００１３】
Ｃ：揚送機構は、振り分け機構の第１導出口および第２導出口の何れか一方に排出された遊技球を入賞口よりも上方に搬送するように構成される。
【発明の効果】
【００１４】
上記構成の入賞装置における球貯留機構では、貯留通路が充満状態でないとき、すなわち貯留通路に最大貯留球数まで遊技球が貯留されておらずまだ貯留可能な状態のときには、遊技球の流下経路が貯留通路側に設定されており入賞球が順次貯留通路に導かれる。一方、このようにして導かれた入賞球で貯留通路が充満状態になったときには、遊技球の流下経路が排出通路側に切り替えられ、以降の入賞球は排出通路に導かれる。このため、貯留通路が充満されていない非充満状態では入賞球は必ず貯留通路側に導かれ、貯留通路に最大貯留球数まで貯留されていないにも拘わらず入賞球が排出通路側に流下してしまうようなことがない。
【００１５】
また、入賞口に落入した入賞球が最大貯留球数までは確実に貯留通路に導かれて貯留されたうえ、貯留通路が充満状態になって以降は充満状態が解除されるまで入賞球が排出通路に排出される構成のため、入賞球の数量が最大貯留球数を超えていても貯留通路に貯留された遊技球が不確定になることがなく、貯留球を用いて新たな遊技を展開するゲーム構成が可能となる。
【００１６】
そして、貯留通路が充満状態になるまでは、貯留通路に導かれた入賞球が導入された順に貯留されて振り分け機構に導かれる構成のため、例えば入賞口への入賞に応じて抽選を行い、貯留通路に導かれた貯留球を当該抽選結果に基づいて次のステップの流下通路に振り分けて新たな遊技を展開するような、個々の入賞球に固有の意義を持たせた１：１対応のゲーム構成が可能となる。
【００１７】
さらに、振り分け機構により第１導出口および第２導出口の何れか一方に排出された遊技球を入賞口よりも上方に搬送する揚送機構が設けられているため、従来利用が困難であった入賞口よりも上方の領域（例えば中央飾りの内部や入賞口に遊技球を案内するガイド釘後方の領域など）を利用して、振り分けられた遊技球を利用した新たなゲームを展開するような入賞装置及びゲーム構成を採用することができる。
【００１８】
従って、本発明に係る入賞装置によれば、遊技者の期待感を害することなく、また入賞球を利用したゲーム展開の自由度を拡大して、個々の入賞球に固有の意義を持たせた斬新なゲーム構成を構築可能な入賞装置を提供することができる。
【発明を実施するための最良の形態】
【００１９】
以下、本発明を実施するための形態について添付図面を参照しながら説明する。本発明を適用した複合入賞装置の一例として、パチンコ機の遊技盤に装着した状態の複合入賞装置および遊技盤から取り外した状態の複合入賞装置の正面図を図１に示しており、まずこの図面を参照して、複合入賞装置を含む遊技盤全体の構成について要約説明する。なお遊技盤が装着されるパチンコ機本体の構成は、公知のパチンコ機と同様であり当業者であればその構成および適用を容易に理解できるため説明を省略する。
【００２０】
遊技盤１０は、所定板厚の積層合板の表面にセルを貼り付けてルーター加工した化粧板１１を基板とし、前面側には上下のレール飾りに囲まれて略円形の遊技領域ＰＡが区画形成される。遊技領域ＰＡの中央部には中央飾り２０が取り付けられ、この中央飾り２０を囲む遊技領域ＰＡの各部に、図示省略する多数本の遊技釘とともに、風車、下部一般入賞具１３，１３、ゲート１５、後に詳述する複合入賞装置５０、LEDを用いた遊技効果ランプ１６などの遊技構成部品が取り付けられている。
【００２１】
下部一般入賞具１３は、遊技球が入球可能な入賞口を有する落入形態の固定入賞具であり、入賞口に落入した遊技球が内部に設けられた入賞検出器により検出されて化粧板１１の裏面側に排出されるようになっている。ゲート１５は遊技球が通過可能な門型の固定入賞具であり、このゲート１５を上下に通過した遊技球がゲート１５に内蔵されたゲート通過検出器（１５ｓ、図８を参照）により検出されるようになっている。入賞検出器およびゲート通過検出器の信号は、パチンコ遊技の作動を制御する遊技制御装置（５００）に入力されている。
【００２２】
中央飾り２０は、額縁状の装飾枠２１と、この装飾枠の中央奥部に取り付けられた図柄表示装置２２、装飾枠の上部に設けられた上部一般入賞具２３（２３Ｌ，２３Ｃ，２３Ｒ、および装飾枠２１の下部中央及び左枠部を利用して設けられた特別入賞装置４０などからなり、化粧板１１を前後に貫通する中央飾り取付孔に装着され化粧板１１にビス固定される。
【００２３】
上部一般入賞具２３は、下部一般入賞具１３と同様に入賞口を有する落入形態の固定入賞具であり、装飾枠２１の左右枠部には上部一般入賞具２３に落入した遊技球をガイドする誘導通路が形成されている。このうち正面左側の誘導通路は、左側の上部一般入賞具２３Ｌに落入した遊技球を図柄表示装置２２の左側方を通して遊技盤１０の中央下部に導き、下端の開口部から再び化粧板１１の前面側に導出するように形成されている。また右側の誘導通路は、中央及び右側の上部一般入賞具２３Ｃ，２３Ｒに落入した遊技球を図柄表示装置２２の右側方を通して遊技盤の中央下部に導き、下端の開口部から化粧板１１の裏面側に排出するように形成されている。左右の誘導通路には遊技球が上部一般入賞具２３に入賞したことを検出する入賞検出器が設けられ、その信号が遊技制御装置に入力されている。
【００２４】
特別入賞装置４０は、装飾枠２１の下部に設けられた回転入賞機構４００と装飾枠２１の左枠部に設けられた開閉入賞機構４５０、およびこれらの機構の作動を制御する遊技球制御装置からなり、回転入賞機構４００において特別遊技条件が成立したときに、開閉入賞機構４５０の大入賞口が開放され特別遊技が実行されるようになっている。なお特別入賞装置４０の作動は、複合入賞装置５０との連関のもとで遊技制御装置により制御されるように構成されており、詳細な装置構成及び作用については複合入賞装置５０の説明とともに後述する。
【００２５】
遊技領域ＰＡの下端部には、中央および右側の上部一般入賞具２３Ｃ，２３Ｒ、下部一般入賞具１３，１３、特別入賞装置４０、複合入賞装置５０の何れにも落入することなく遊技領域ＰＡの下端まで落下した遊技球を、遊技盤１０の裏面側に排出するアウト口１８が化粧板１１を前後に貫通して開口形成され、化粧板１１の裏面には、上記各入賞装置等に落入した遊技球およびアウト口から排出された遊技球（これらを遊技済み球という）を化粧板１１の背面に沿って下方に導く球寄せカバーが取り付けられている。遊技盤１０の後方に配設される裏セット盤には、球寄せカバーにより導かれた遊技済み球を集合させてパチンコ機の下部に導く遊技済み球排出経路が形成されており、遊技盤１０から排出された遊技済み球が遊技済み球排出経路を通って遊技島の回収装置に排出されるようになっている。
【００２６】
そして、遊技盤１０がパチンコ機に組付けられ遊技に供された遊技状態において、遊技球発射装置から遊技領域ＰＡに打ち出された遊技球が一般入賞具１３，２３やゲート１５、特別入賞装置４０、複合入賞装置５０などの入賞機器に入賞すると、各入賞機器に設けられた入賞検出器、ゲート通過検出器により入賞が検出され、これらの検出信号を受けた遊技制御装置が当該入賞機器の種別等に基づく入賞条件に応じた指令信号を出力してパチンコ機の各部の作動を制御する。例えば入賞検出器からの入賞検出信号に基づいて球払出装置の作動を制御して褒賞としての遊技球（賞球）の払い出しを行わせ、ゲート通過検出器からのゲート通過検出信号に基づいて複合入賞装置５０の入賞具の開閉作動を制御し、また各検出信号に基づいて効果ランプの点滅や効果音の発生等を行わせる。
【００２７】
さて、このように概要構成される遊技盤１０にあって、中央飾り２０の下側に、複合入賞装置５０が設けられている。以下、図２〜図８の各図を適宜参照しながら、複合入賞装置５０の構成について説明する。なお図２は複合入賞装置５０の分解斜視図、図３は装置正面のカバー部材を取り外した状態で貯留通路が充満される以前の様子を示す複合入賞装置の正面図、図４は装置正面のカバー部材を取り外した状態で貯留通路が充満された以降の様子を示す複合入賞装置の正面図、図５および図６はそれぞれ図１中のV〜矢視およびVI〜矢視の平断面図、図７は図１中のVII〜矢視の側断面図、図８は複合入賞装置の制御形態を概要的に示すブロック図である。
【００２８】
複合入賞装置（役物(遊技部品)）５０は、その複合機能を機構的に大別すると、Ａ：遊技球を貯留する貯留通路および装置外部に排出させる排出通路を有し入賞口に落入した遊技球の流下経路を切り替えて流下させる球貯留機構１００と、Ｂ：遊技球を受容可能な球受け部を正逆両方向に回動可能な第１回転体を備え貯留通路を介して導かれた遊技球を球受け回転盤の回動により第１導出口または第２導出口に移動させて排出させる振り分け機構２００と、Ｃ：第１導出口および第２導出口の何れか一方に排出された遊技球を入賞口よりも上方に搬送する揚送機構３００とを備え、各機構の共通ベースとなるハウジング５１に組付けられて一体的な複合入賞装置を形成するとともに、パチンコ遊技の作動を制御する遊技制御装置５００内の各制御手段により制御される。
【００２９】
Ａ：貯留機構１００は、遊技盤面を転動落下する遊技球が落入可能な入賞口を有する入賞具１１０、入賞口に落入した遊技球を順次貯留し得る貯留通路１２０、入賞口に落入した遊技球を排出させる排出通路１３０、入賞口に落入した遊技球の流下経路を貯留通路または排出通路に切り替えて流下させる流路切り替え構造１４０、貯留通路が貯留された遊技球で充満されたことを検出する充満検出手段１５０、および遊技制御装置５００に内蔵された役物（遊技部品）制御手段５１０などからなり、役物制御手段５１０が、充満検出手段１５０において貯留通路の充満状態が検出されていないときに遊技球の流下経路を貯留通路側に設定して入賞口に落入した遊技球を貯留通路１２０に導き、充満検出手段１５０において貯留通路の充満状態が検出されているときには遊技球の流下経路を排出通路側に切り替えて入賞口に落入した遊技球を排出通路１３０に導くように構成される。
【００３０】
入賞具１１０は、いわゆる電動チューリップ型の可動入賞具であり、左右に揺動可能なチューリップ羽根１１１，１１１を有し、その後方にチューリップ羽根１１１，１１１を開閉させて入賞口１１２を拡大・縮小変化させる入球部拡大装置駆動ソレノイド１１３が装着されるとともに、入賞口１１２の内部に遊技球の通過を検出する役物入球検出器１１４が設けられている。入球部拡大装置駆動ソレノイド１１３は役物制御手段５１０における入球部拡大装置駆動制御手段５１１によりON・OFFされて開閉作動が制御され、役物入球検出器１１４の信号は役物入球判定手段５１２に入力されて入賞判定が行われる。
【００３１】
入賞口１１２の下側では、入賞具１１０に落入した遊技球をハウジング５１の内部に導くとともに正面右側の貯留通路方向に案内する導入通路１１５が形成されている。一方、導入通路１１５の後方には、貯留機構１００のフレームとなるシャッターベース１０１が組付けられ、このシャッターベース１０１に貯留通路１２０、排出通路１３０が形成されている。
【００３２】
貯留通路１２０は、シャッターベース１０１における本体部から右斜め下方に突出して設けられている。貯留通路１２０の通路幅および高さは遊技球の球形よりも幾分大きめに設定され、通路長さはこの通路内に貯留すべき遊技球の数量（ゲーム構成に応じて設定された最大貯留球数）に合わせて形成される。貯留通路１２０の下流端部には後方に傾斜する通路面が形成されており、次述する振り分け機構２００の導入口２４０に繋がっている。これにより貯留通路に流入した遊技球を振り分け機構２００に向けて滑らかに流下させるとともに、所定数量の遊技球を流入した順に通路内に貯留し得るようになっている。本実施形態では、基準位置にある第１回転体の球受け部２２２に受容された遊技球を含めて５個の遊技球を貯留可能に構成した例を示す（図４を参照）。なお貯留通路１２０の前方の通路壁は、ハウジング５１の前面を覆って取り付けられるカバー部材５２によって形成される。カバー部材５２は透明な樹脂材料（有色透明や半透明の樹脂材料など、光を透過する特性を有する材料）を用いて成形されており、貯留通路１２０を流下する遊技球および通路内に貯留された遊技球がパチンコ機の前面側から視認できる構成になっている。
【００３３】
排出通路１３０は、貯留通路１２０と隣接するシャッターベース１０１の本体部に形成されており、上下に延びる球通路の上端部において貯留通路１２０の上流部と合流している。排出通路１３０の下流側は後方に屈曲されたうえ化粧板１１の裏面側で下向きに開口されており、アウト口１８を通って化粧板の裏面側に導かれた遊技済み球とともに遊技済み球排出通路を介して遊技島の回収装置に排出されるようになっている。
【００３４】
流路切り替え構造１４０は、シャッターベース１０１にスライド変位可能に支持されて排出通路１３０の上端開口部を開閉するシャッター１４２、シャッター１４２を開閉駆動するシャッター駆動ソレノイド１４３、シャッター駆動ソレノイドのプランジャに嵌着されたスライドアングル１４４、シャッターベース１０１およびシャッター１４２にピン結合されるとともにアーム中間部でスライドアングル１４４に係合されたスウィングアーム１４５、およびシャッター駆動ソレノイド１４２の作動を制御するシャッター駆動制御手段５１４などから構成される。
【００３５】
一方シャッターベース１０１には、シャッター１４２を左右方向にスライド変位可能に支持するガイドレール１０２、シャッター駆動ソレノイド１４３を支持するソレノイド装着部１０３、ソレノイド装着部を貫通して形成されたスライドアングル挿通孔１０４、およびソレノイド装着部１０３の下面側に突出成型された支ピン１０５などが形成されている。
【００３６】
シャッター１４２は、下向き凸の断面形状を有してシャッターベース１０１のガイドレール部１０２にスライド変位可能に支持され、下面にはスウィングアーム１４５のピン受容孔と嵌合する連結ピン１４２ｐが形成されている。シャッター駆動ソレノイド１４３は、プランジャの外周部にリターンスプリング（コイルスプリング）が装着されたスプリングリターンタイプの直動型ソレノイドであり、駆動信号がONされた時にプランジャが引き込まれて縮長し、駆動信号をOFFしたときにリターンスプリングのバネ力でプランジャが押し出されて元の伸長状態に復帰する。
【００３７】
スライドアングル１４４は底辺と立設辺とを有して正面視Ｌ字状のアングル形態をなし、立設辺にはプランジャ先端のプレート部を受容する受容スリットが形成されている。スライドアングル１４４は、シャッター装着部１０３を上下貫通して形成されたスライドアングル挿通孔１０４の下側から立設辺を上方に挿通させ、前方からシャッター駆動ソレノイド１４３を装着してプランジャ先端のプレート部を立設辺の受容スリットに嵌合させ、ソレノイド装着部１０３の後方からソレノイドの本体ケースをねじ止めすることでシャッター駆動ソレノイド１４３とともにシャッターベース１０１に取り付けられる。スライドアングル１４４の底辺にはスウィングアーム１４５のアーム中間部を左右から挟み込むように係合して駆動力を伝達する駆動伝達突起１４４ａ，１４４ｂが形成されている。
【００３８】
スウィングアーム１４５は平板状のアーム部の両端に円筒状のボス部を有し、一端のボスにはシャッター支持部１０３の下面に形成された支ピン１０５に枢結される支ピン孔が形成され、他端のボス部にはシャッター１４２の下面に突出成型された連結ピン１４２ｐを受容して係合する連結ピン受容穴が形成されている。連結ピン受容孔は、溝幅が連結ピン１４２ｐの外径よりもわずかに大きめで、溝の長さがスウィングアーム１４５の揺動半径に合わせてアームの延びる方向に長い長孔状に形成されている。
【００３９】
このため支ピン孔を支ピン１０５に嵌挿してピン先端に固定カラーを圧入または接着等により固定することで、スウィングアーム１４５が支ピン１０５を中心として揺動可能に枢結され、連結ピン受容穴に連結ピン１４２ｐを係合させてガイドレール１０２にシャッター１４２を支持させることで、スウィングアーム１４５の揺動に応じてシャッター１４２が左右にスライド変位される。またスウィングアーム１４５を支ピン１０５に枢結する時に、アーム中間部がスライドアングル下面の駆動伝達突起１４４ａ，１４４ｂの間を通り左右の突起と摺接するように取り付けることで、スライドアングル１４４の左右方向の変位が駆動伝達突起を介してスウィングアーム１４５に伝達され、スウィングアーム１４５を介してシャッター１４２を左右方向にスライド変位させる。
【００４０】
シャッター１４２は、図３および図６に示すように、駆動信号がOFFの状態において排出通路１３０の上端部を覆う閉鎖位置に配設され、入賞口１１２から導入通路１１５を通って入球した遊技球は、閉鎖位置にあるシャッター１４２の上面を転動して貯留通路１２０に導かれる。一方シャッター駆動制御手段５１４から駆動信号が出力されシャッター駆動ソレノイド１４３がONされると、ケース内に引き込み作動されるプランジャとともにスライドアングル１４４が左動され、右側の駆動伝達突起１４４ｂに押圧されて揺動されるスウィングアーム１４５を介してシャッター１４２が左方にスライド変位されて、排出通路１３０の上端部が開口される。このため入賞口１１２から導入通路１１５を通って入球した遊技球は、開放された開口部から排出通路１３０に転落し、遊技済み球排出通路を介して遊技島の回収装置に排出される。
【００４１】
ここで、本構成の流路切り替え機構では、駆動伝達突起をスウィングアーム１４５の中間部（支点となる支ピン孔と作用点となる連結ピン受容孔との中間部）に係合させてアームを揺動させる構成にしている。このため、排出通路１３０を開閉するのに必要なシャッター１４２のスライド変位量に対して、このシャッターを駆動するシャッター駆動ソレノイド１４３の伸縮ストロークを約１／２倍に抑制することができ、比較的小型のソレノイドを用いた小型低廉な装置構成で流路切り替え機構１４０を構成することができる。
【００４２】
なおスウィングアーム１４５を左右から挟み込んで摺接する駆動伝達突起１４４ａ，１４４ｂに代えて、ピンと長孔との係合形態を用いて同様に構成することができるほか、シャッター１４２を水平面内あるいは鉛直面内で揺動させて排出通路１３０の上端開口部を開閉するように構成しても良く、また導入通路１１５に左右揺動可能な弁部材を配設してこの弁部材を揺動させて流下経路を切り替えるように構成しても良い。
【００４３】
充満検出手段１５０は、貯留通路１２０の上端部に設けられた貯留部満杯検出器１５１と、役物制御手段５１０に設けられた貯留部満杯判定手段５１３とを主体として構成される。貯留部満杯検出器１５１は、入賞検出器や役物入球検出器１１４などと同様の通過型の検出器（貫通型近接スイッチ）であり、図３に示すように、この検出器を貫通して形成された検出孔内を遊技球が通過したときにパルス状の遊技球検出信号を出力し、図４に示すように検出孔内に遊技球が停留しているときに連続した遊技球検出信号を出力する。貯留部満杯判定手段５１３は貯留部満杯検出器１５１から入力される信号に基づいて貯留通路１２０が満杯状態であるか否かを判断する。具体的には入力された検出信号が所定時間以上連続した遊技球検出信号であるときに貯留通路１２０が満杯であると判定する。役物制御手段５１０は、貯留部満杯判定手段５１３により貯留通路が満杯状態であると判定されたときに、シャッター駆動制御手段５１４からシャッター駆動ソレノイド１４３に駆動信号を出力し、シャッター１４２を開放状態に切り替えさせる。
【００４４】
このため、貯留機構１００では、貯留通路１２０が遊技球で充満される以前においては、入賞口１１２に落入した遊技球が導入通路１１５、シャッター１４２の上面を通って貯留通路１２０に導かれ、この貯留通路１２０に導入された順に整列状態で貯留される。一方貯留通路１２０が満杯状態になり貯留部満杯判定手段５１３により貯留通路が満杯状態であると判定されると、役物制御手段５１０はシャッター駆動制御手段５１４からシャッター駆動ソレノイド１４３に駆動信号を出力させてシャッター１４２を開放状態に切り替えさせる。このため、入賞口１１２に落入し導入通路１１５を通って導かれた遊技球が、開放された開口部から排出通路１３０に転落し、遊技済み球排出通路を介して遊技島の回収装置に排出される。このように構成される貯留機構１００の下流側に、Ｂ：振り分け機構２００が設けられている。
【００４５】
Ｂ：振り分け機構２００は、貯留通路１２０の下流側に設けられた回転盤収容部２１０、外周側に遊技球を受容可能な球受け部２２２を有して回転盤収容部２１０に回動可能に設けられた第１回転体２２０、第１回転体２２０を時計廻りおよび反時計廻りに回動させる第１回転体駆動モータ２３０、貯留通路１２０の下流端部に位置整合して設けられ入賞口１１２から導かれた遊技球を基準位置にある第１回転体の球受け部に導く導入口２４０、導入口を挟んで回転盤収容部に設けられ第１回転体の回動により移動された遊技球を導出する第１導出口２５０ならびに第２導出口２６０、および役物制御手段５１０などからなり、役物制御手段５１０が入賞条件（例えば後述する図柄制御手段５２０により決定された停止図柄の組み合わせ）に基づいて球受け回転盤を時計廻りまたは反時計廻りに回動させ、基準位置で球受け部２２２に受容された遊技球を第１導出口２５０または第２導出口２６０に排出させるように構成される。
【００４６】
回転盤収容部２１０は、振り分け機構２００のベースとなりハウジング５１に固定された回転盤ベース２１１と、第１回転体２２０の前面および周縁を囲んで回転盤ベース２１１にねじ止めされた回転体ケース２１２により形成される。回転盤ベース２１１の仕切壁には、前後貫通して第１回転体２２０のボスを挿通させるボス挿通孔が形成され、その後方のモータ取付部に第１回転体駆動モータ２３０がネジ固定されている。なお第１回転体駆動モータ２３０の固定はネジ以外の固定手段、例えばモータフランジ部を回転盤ベース２１１に嵌着するなど他の固定手段を用いても良い。またボス挿通孔の右側方に仕切壁を貫通して第２導出口２６０が形成され、その後方に第２導出口２６０から導出された遊技球を遊技済み球排出通路に向けて排出する第２条件流路２６１が形成されるとともに、この第２条件流路を通て排出された遊技球を検出する第２条件流路通過検出器２６２が装着されている。第２条件流路通過検出器２６２は既述した貯留部満杯検出器１５１と同様の通過型の検出器であり、その信号が役物制御手段５１０における遊技球排出監視手段５１７に入力されて貯留球の処理状況が監視されている。
【００４７】
回転体ケース２１２は、第１回転体２２０の外径よりも幾分大きめの内径および厚さの収容凹部を有してキャップ状に形成され、その前面には第１回転体２２０の回転軸の鉛直下方に位置して導入口２４０、回転軸の左斜め上方（導入口２４０から時計廻りに約１５０度の角度位置）に第１導出口２５０が形成されている。第１導出口２５０の前方には第１導出口２５０から導出された遊技球を揚送機構３００に導く第１条件流路２５１が設けられている。
【００４８】
第１回転体２２０は、遊技球の球形よりも大きめの厚さを有して正面視円形の回転円盤形態をなし、その中心部には後方に突出して第１回転体駆動モータ２３０のスピンドルに連結されるボスが形成され、外周部には外径方向に開くＵ字溝状の球受け部２２２が第１回転体２２０の回転軸を中心として全周を２等分した１８０度の角度ピッチで２箇所形成されている。
【００４９】
各球受け部２２２，２２２は、正面視における全体的な投影形状が遊技球の球形よりも幾分大きめの幅および深さを有するＵ字溝状に形成される一方、Ｕ字溝を形成する左右の溝壁面はＵ字状底面の中央を境にして前後逆方向に開く傾斜面で形成される。すなわち、Ｕ字溝が上方に開く角度姿勢において左壁面が前方に開く傾斜面、右壁面が後方に開く傾斜面で構成されている。このため球受け部２２２に受容された遊技球は、球受け部２２２が中心よりも右半分の領域にあるときには右壁面の傾斜に従って後方に誘導され、球受け部２２２が中心よりも左半分の領域にあるときには左壁面の傾斜に従って前方に誘導されるようになっている。
【００５０】
第１回転体駆動モータ２３０は、所定減速比の減速機構を内蔵したギヤモータであり、第１回転体駆動制御手段５１５からの駆動信号に応じてスピンドルを時計廻りまたは反時計廻りに所定角度回動させる。スピンドルの先端部は外周面の一部が平坦に面取りされて断面視Ｄ字状に形成されており（図１１を参照）、このスピンドル先端部に同一の穴形状を有する第１回転体２２０のボスを嵌入して連結することで、モータ側の基準角度位置と第１回転体側の球受け部の角度位置とを合致させるとともに、第１回転体駆動モータ２３０回転トルクを第１回転体２２０に確実に伝達可能になっている。
【００５１】
第１回転体駆動モータ２３０が組付けられた回転盤ベース２１１の背面側には、第１回転体２２０が基準位置（球受け部２２２，２２２が回転軸の鉛直上下に位置して導入口２４０と整合する回転角度位置）にあるか否かを検出する第１回転体モータセンサ（基準位置検出器）２３５が設けられ、その信号が役物制御手段５１０に入力されている。第１回転体モータセンサ２３５の検出信号は電源投入時における第１回転体２２０の角度位置の初期設定や、第１回転体による振り分け作動後に第１回転体２２０を基準位置に復帰させるときの基準とされ、この制御により第１回転体２２０は、球受け部２２２が導入口２４０と位置整合した基準位置に確実に停止されるようになっている。
【００５２】
振り分け機構２００は、第１回転体駆動モータ２３０を回転盤ベース２１１のモータ取付部にネジ固定して、仕切壁の前方から第１回転体２２０のボスをスピンドルの前端部に嵌入し、その前方に回転体ケース２１２を装着して回転盤ベース２１１にネジ固定することで部分組立され、この部分組立体を後方からハウジング５１に組付けることで、前述した流路切り替え機構１００の貯留通路１２０、次述する揚送機構３００に繋がる第１条件流路２５１と位置整合して配設される。
【００５３】
役物制御手段５１０は、この制御手段内部の条件達成判定手段５１８によって判定された入賞条件に基づいて第１回転体駆動制御手段５１５から第１回転駆動モータ２３０に駆動信号を出力させ、第１回転体２２０を時計廻りまたは反時計廻りに回動させて、導入口２４０から球受け部２２２に導かれた遊技球を第１導出口２５０または第２導出口２６０に排出させるように制御する。なお条件達成判定手段５１８は、第１条件達成判定手段５１８ａと第２条件達成判定手段５１８ｂとを有し、後述する図柄制御手段５２０によって抽選され決定された停止図柄の組み合わせが、第１条件（例えば、図１の図柄表示装置２２の上段に付記したような(７７７)、いわゆるぞろ目等の当たり条件）を達成しているか、あるいは第２条件（同様に、図柄表示装置２２の下段に付記したような(３７８)、はずれの条件）を達成しているかを判定する判定手段である。
【００５４】
そして例えば、条件達成判定手段５１８によって判定された入賞条件が第１条件（当たり）である場合には、第１回転体駆動制御手段５１５が第１回転駆動モータ２３０を時計廻りに約１５０度回動させる駆動信号を出力して第１回転体２２０を回動させ、遊技球を受容した球受け部２２２を第１導出口２５０に整合させた角度位置に一時停止させる。また条件達成判定手段５１８によって判定された入賞条件が第２条件（はずれ）である場合には、第１回転駆動モータ２３０を反時計廻りに約９０度回動させる駆動信号を出力して第１回転体２２０を回動させ、遊技球が受容された球受け部２２２を第２導出口２６０に整合させた角度位置に一時停止させる。
【００５５】
前述したように、球受け部２２２は、Ｕ字溝を形成する左右の溝壁面が底面中央を境に前後逆方向に開く傾斜面で形成されており、Ｕ字溝が上方に開く角度姿勢において左壁面が前方に開く傾斜面、右壁面が後方に開く傾斜面で構成されている。このため球受け部２２２に受容されて第１導出口２５０と整合する角度位置に配設された遊技球は、左壁面の傾斜に従って前方に誘導され、第１導出口２５０から第１条件流路２５１に排出されて揚送機構３００に導かれる。一方球受け部２２２に受容されて第２導出口２６０と整合する角度位置に配設された遊技球は、右壁面の傾斜に従って後方に誘導され、第２導出口２６０から第２条件流路２６１に排出され、第２条件流路通過検出器２６２により通過が検出されたうえ遊技済み排出通路を介して遊技島の回収装置に排出される。
【００５６】
役物制御手段５１０は、上記第１導出口２５０または第２導出口２６０への振り分け作動によって導出された遊技球の排出処理が確認されたのち、具体的には第２条件流路通過検出器２６２により遊技球が検出されこの検出器からの信号を監視する遊技球排出監視手段５１７により遊技球の排出が確認されたとき、あるいは後述する特別入賞装置４０において遊技球が検出され遊技球排出監視手段５１７により遊技球の排出が確認されたときに、第１回転体駆動制御手段５１５から第１回転駆動モータ２３０に駆動信号を出力させ、第１回転体２２０を再び時計廻りまたは反時計廻りに回動させて、第１回転体２２０を基準位置に復帰させる。
【００５７】
例えば、球受け部２２２が第１導出口２５０と整合した角度位置で第１回転体２２０を一時停止させた状態のときは、第１回転駆動モータ２３０を再び時計廻りに約３０度回動させる駆動信号を出力して第１回転体２２０を基準位置近傍まで回動させ、第１回転体モータセンサ２３５から入力される検出信号により第１回転体２２０が基準位置に到達したと判定されたときに第１回転駆動モータ２３０の回動を停止させる。同様に、球受け部２２２が第２導出口２６０と整合した角度位置で第１回転体２２０を一時停止させた状態のときは、第１回転駆動モータ２３０を再び反時計廻りに約９０度回動させる駆動信号を出力して第１回転体２２０を基準位置近傍まで回動させ、第１回転体モータセンサ２３５から入力される検出信号により第１回転体２２０が基準位置に到達したと判定されたときに第１回転駆動モータ２３０の回動を停止させる。
【００５８】
このため、条件達成判定手段５１８によって判定された入賞条件が第１条件である場合には、基準位置で球受け部２２２に受容された遊技球が第１導出口２５０から第１条件流路２５１に排出されて次段の揚送機構３００に導かれ、入賞条件が第２条件である場合には、基準位置で球受け部２２２に受容された遊技球が第２導出口２６０から第２条件流路２６１および遊技済み球排出通路を介して遊技島の回収装置に排出され、その後第１回転体２２０が基準位置まで回動して新たな遊技球を球受け部２２２に受容可能な状態で待機される。なお条件達成判定手段５１８による入賞条件の判定を含む複合入賞装置の総合的な作動制御については、次の揚送機構３００の構成についての説明の後に詳述する。
【００５９】
Ｃ：揚送機構３００は、振り分け機構２００の第１導出口２５０に排出され第１条件流路２５１を通って導かれた遊技球を入賞口１１２よりも上方に搬送するように構成される。
【００６０】
揚送機構３００は、回転軸の外周に螺旋状の球送りプレートを有する揚送スクリュー３１０、揚送スクリュー３１０を回転駆動する揚送装置駆動モータ３２０、駆動ギヤ３３１，伝達ギヤ３３２，従動ギヤ３３３からなり揚送装置駆動モータ３２０の回転駆動力を揚送スクリュー３１０に伝達する駆動力伝達構造３３０、揚送スクリュー３１０の前方を覆う透明樹脂製のガイドカバー３０１、揚送装置駆動モータ３２０の支持ベースとなるモータベース３０２、ガイドカバー３０１の上端に嵌着されるキャップ３０３などからなり、遊技盤１０側には揚送スクリュー３１０によって上方に移送された遊技球を特別入賞装置４０の回転入賞機構４００に導く案内流路３６０が設けられている。
【００６１】
揚送スクリュー３１０は、上下に延びる回転軸３１１と、この回転軸３１１から外周方向に突出し上下方向に螺旋状に延びる球送りプレート３１２とからなり、例えば所定線径の金属シャフトの外周に、薄板金属性の球送りプレートを遊技球の球形よりも幾分大きめのピッチて螺旋状に巻き付け、これを溶着等の固定手段により固定して一体に形成される。揚送スクリュー３１０の下部には、駆動力伝達構造３３０の従動ギヤ３３３が設けられており、例えば金属シャフトの下端部に樹脂製の従動ギヤを圧入固定することで一体的に結合される。
【００６２】
ガイドカバー３０１は平面視において後方に開くＵ字樋状をなし、樋内側の下部に上下を仕切る仕切壁３０１ｓが形成されて、遊技球が揚送される揚送部３０１ａと、従動ギヤ３３３が収容されるギヤ収容部３０１ｂとが区画形成される（図１３を参照）。仕切壁３０１ｓには、回転軸３１１を上下に挿通させる後端開放の長孔状の支持溝が形成され、ギヤ収容部３０１ｂの下面には回転軸３１１の下端部を枢支する軸受孔が形成されている。キャップ３０３は、ガイドカバー３０１の上端部の形状に合わせて嵌入可能に形成され、下向きのキャップ内面には回転軸３１１の上端部を枢支する軸受穴が形成されている。
【００６３】
従動ギヤ３３３が結合された揚送スクリュー３１０は、ガイドカバーの仕切壁３０１ｓに形成された支持溝に回転軸３１１を挿入して軸外周部を支持させるとともに、軸下端部をギヤ収容部３０１ｂ下面の軸受孔に嵌挿して枢支させ、ガイドカバー３０１の上方からキャップ３０３を嵌入して軸上端部をキャップ３０３の軸受穴に嵌挿支持させることで、ガイドカバー３０１の内側に回転自在に取り付けられる。そして、これをハウジング５１の前方から装着して固定することでハウジング５１の前面側に取り付けられ、仕切壁直上の揚送部３０１ａが第１条件流路２５１の下流側開口部と位置整合して配設される。
【００６４】
一方、揚送スクリュー３１０を回転駆動する揚送駆動モータ３２０は、所定減速比の減速機構を内蔵したギヤモータであり、スピンドルの先端部に駆動力伝達構造の駆動ギヤ３３１が圧入固定されている。揚送駆動モータ３２０は伝達ギヤ３３２が枢支されたモータベース３０２にねじ止めされ、駆動ギヤ３３１と伝達ギヤ３３２とが噛合して回転駆動力を伝達可能な状態に配設される。そしてこのモータベース３０２をハウジング５１の後方からに装着することで、伝達ギヤ３３２と揚送スクリューの従動ギヤ３３３とが噛合して配設され、詳細図示省略する固定手段によりモータベースを固定することでハウジング５１に取り付けられる。
【００６５】
これにより揚送駆動モータ３２０の回転駆動力が駆動ギヤ３３１，伝達ギヤ３３２，従動ギヤ３３３からなる駆動力伝達構造３３０を介して揚送スクリュー３１０に伝達され、揚送駆動モータ３２０を回転作動させることで、駆動力伝達機構３３０の減速比（ギヤ比）に応じた回転速度で揚送スクリュー３１０を同一方向に回転させることができる。本実施形態では減速比を１（揚送駆動モータ３２０のスピンドル１回転に対して揚送スクリュー３１０が１回転する減速比）に設定した構成例を示す。なお駆動力伝達機構として、ベルトとプーリ、チエーンとスプロケット等を利用することも可能である。
【００６６】
揚送駆動モータ３２０の作動は役物制御手段５１０における揚送装置駆動制御手段５１６によって制御され、揚送装置駆動制御手段５１６は所定入賞条件のもと揚送駆動モータ３２０に駆動信号を出力してスピンドルを平面視における反時計廻りに回転させ、揚送スクリュー３１０を同一方向に同一回転速度で回転させる。これにより、第１条件流路２５１から揚送部３０１ａに導入された遊技球が、回転する球送りプレート３１２の螺旋傾斜面に持ち上げられ入賞口１１２よりも上方に搬送される。なお、揚送駆動モータ３２０を常時回転させる形態としても良い。
【００６７】
ここで、ガイドカバー３０１における正面左側の内壁面には、壁面から内方に突出するガイド突起３０１ｇが上下に延びて形成されている（図２、図３等を参照）。このため、第１条件流路２５１から揚送部３０１ａに導入された遊技球がガイド突起３０１ｇに当接支持されて球送りプレート３１２の螺旋傾斜面を転動流下することがなく、揚送スクリュー３１０の回転とともにガイド突起３０１ｇに案内されながら鉛直上方に揚送される。ガイドカバー３０１は、透明な樹脂材料や半透明の樹脂材料を用いて成型されており、揚送スクリュー３１０により揚送される遊技球をパチンコ機の前面側から視認可能になっている。
【００６８】
揚送部３０１ａの上端近傍では、揚送部の後側に位置する化粧板１１が切り欠かれて揚送部が後方に開く上端開口が形成され、その後方に上端開口から排出された遊技球を特別入賞装置４０の回転入賞機構４００に導く案内流路３６０が設けられる。揚送部３０１ａの上端近傍では、揚送部の上面を構成するキャップ３０３の底面が、ガイド突起３０１ｇから後方に向けて斜めに開いて形成されており、揚送部３０１ａの上端まで揚送された遊技球が、この傾斜面に当接して後方に押し出され、上端開口から案内流路３６０に排出されるようになっている。
【００６９】
案内流路３６０は、上端開口と位置整合して配設され化粧板１１の背面側に延びる後方案内流路部３６１と、後方案内流路部３６１に繋がって左方に延び回転入賞機構４００に連絡する中央案内流路部３６２とからなる。案内流路３６０は、後方案内流路部３６１の入り口側から中央案内流路部３６２の出口側に向けて下傾する上面開放の傾斜樋状に形成されており、揚送機構３００の上端開口から排出された遊技球が後方案内流路部３６１および中央案内流路部３６２を転動流下し、入賞具１１０の上方に位置する回転入賞機構４００に導かれる。
【００７０】
従って、揚送機構３００を設けることで入賞口１１２に落入した遊技球を入賞口１１２よりも上方に設けた回転入賞機構４００に導くことができ、遊技盤１０の限られた盤面サイズを有効に活用したレイアウト設定が可能になっている。なお、揚送スクリュー３１０は、回転軸の外周面に遊技球の球径に合わせた半円形の溝を螺旋状に一体的に形成して構成してもよい。また揚送スクリュー３１０に代えて、高分子材料製ないし金属製の無端ベルトの外周面に遊技球を持ち上げ支持可能なタブ状の支持片を所定間隔で複数形成した揚送ベルトを用いて、揚送部の上下に設けられたプーリ間に掛け渡して回転させ、あるいは同様の支持片を有するチェーンを上下のスプロケット間に掛け渡して回転させ、または遊技球を吸着して移送するマグネットを利用して遊技球を上方に搬送するような機構構成としても良い。
【００７１】
回転入賞機構４００は、案内流路３６０を通って導かれた遊技球を受け止めるテーパーコーン状の受け皿４１０、この受け皿４１０の中心部に回転可能に設けられた第２回転体４２０、第２回転体４２０を回転駆動する第２回転体駆動モータ４３０などを有して構成され、第２回転体駆動モータ４３０の作動は遊技制御装置５００における第２回転体駆動制御手段５３０によって制御される。第２回転体４２０には、平面視においてＵ字状に開口する球受容孔が４箇所形成されており、このうち１箇所が特別領域、他の３箇所が非特別領域とされる。
【００７２】
第２回転体４２０の下側には、特別領域および非特別領域に転入した遊技球を遊技済み球排出通路に導く遊技球排出通路が形成されるとともに、特別領域に転入した遊技球を検出する特別領域通過検出器４２１、および遊技領域排出通路を通って回転入賞機構４００から排出される遊技球を検出する遊技球排出検出器４２２が設けられている。特別領域通過検出器４２１の信号は遊技制御装置５００の特別遊技判定実行手段５４０に入力され、遊技球排出検出器４２２の信号は遊技球排出監視手段５１７に入力されている。
【００７３】
特別遊技判定実行手段５４０には、特別領域通過判定手段５４１ａを有する特別遊技移行判定手段５４１と、大入賞口開閉駆動制御手段５４２ａを有する特別遊技実行手段５４２とが設けられており、上記信号から特別領域通過判定手段５４１ａにより特別領域の通過判定がなされ、特別遊技移行判定手段５４１において特別遊技への移行判定がなされたときに、特別遊技実行手段５４２で特別遊技の実行プログラムが起動され開閉入賞機構４５０による特別遊技が実行される。開閉入賞機構４５０は装飾枠２１の左枠部に設けられている。
【００７４】
開閉入賞機構４５０は、いわゆるアタッカー型の可動入賞具であり、縦長方形状の大入賞口を覆う開閉扉４５１が装飾枠２１の左枠部に開閉可能に取り付けられ、左枠部に内蔵された大入賞口開閉駆動ソレノイド４５２により開閉駆動される。大入賞口開閉駆動ソレノイド４５２は、特別遊技実行手段の大入賞口開閉駆動制御手段５４２ａによって作動が制御され、特別遊技実行手段５４２で起動した特別遊技の実行プログラムにおいて開閉扉４５１を開放する開放処理ステップになったときに、大入賞口開閉駆動制御手段５４２ａから大入賞口開閉駆動ソレノイド４５２に開放指令信号（例えば大入賞口開閉駆動ソレノイド４５２をONする駆動信号）が出力され、開閉扉４５１の上部が左方にほぼ９０度傾倒されて大入賞口が開放される。
【００７５】
装飾枠２１には、開放された開閉扉４５１から大入賞口に落入した遊技球を、遊技盤下方の遊技済み球排出通路に導く入賞球排出通路が形成されるとともに、この入賞球排出通路に遊技球を検出する大入賞口入賞検出器４５３が設けられており、その信号が遊技制御装置５００に入力されている。なお遊技制御装置５００には、図柄変動記憶手段５２１および停止図柄決定手段５２２を有する図柄制御手段５２０が設けられており、後述する所定条件のもと図柄表示装置２２の作動が制御される。
【００７６】
従って、揚送機構３００により搬送された遊技球を回転入賞機構４００に導く構成により、振り分け機構２００で振り分けられた遊技球をさらに振り分けて新たなゲームを展開する複雑な遊技構成にすることができ、遊技者を飽きさせない趣向に富んだ遊技機を提供することができる。
【００７７】
次に、以上のように構成される複合入賞装置５０の作用について、図柄表示装置２２や特別入賞装置４０の作動制御を含めて、以下図９〜図１３の各図を併せて参照しながら説明する。なお図９は複合入賞装置５０や特別入賞装置４０の各部の作動タイミングを例示するタイミングチャート、図１０および図１２は第１回転体の球受け部２２２が第２導出口２６０と整合した角度位置（以下「第２導出位置」という）で一時停止した状態における複合入賞装置５０の背面図および正面図、図１１および図１３は第１回転体の球受け部２２２が第１導出口２５０と整合した角度位置（以下「第１導出位置」という）で一時停止した状態における複合入賞装置５０の背面視の断面図および正面図、図１４は導入口２４０と第１導出口２５０との関係を示す振り分け機構部の説明図（正面図）である。
【００７８】
さて図１に示した遊技盤１０がパチンコ機に装着され、ガラス扉が閉鎖された遊技状態で遊技球発射装置から遊技領域ＰＡに遊技球が発射されると、遊技球は多数本の遊技釘や風車等に弾かれながら下方に落下する。特別遊技が実行されていない通常の遊技状態にあっては中央飾り２０に設けられた開閉入賞機構の開閉扉４５１が閉止状態にあり、中央飾り上部の上部一般入賞具２３に落入しなかった遊技球は、前方に張り出された装飾枠２１の枠部側方を通って遊技領域ＰＡを落下する。また左側の上部一般入賞具２３Ｌに落入した遊技球は、装飾枠２１の左枠部に形成された誘導通路を通って下端の開口部から遊技領域に導出され遊技領域の下部を落下する。
【００７９】
そして順次落下する多数の遊技球のうち、一部の遊技球は下部一般入賞具１３に落入して化粧板１１の背面側に導かれ、また一部の遊技球はゲート１５を通って遊技領域の下端に落下するほか、殆どの遊技球は遊技領域ＰＡの下端まで落下してアウト口１８から化粧板１１の背面に導かれ、一般入賞具１３，２３Ｃ，２３Ｒに落入した遊技球とともに遊技済み球排出通路を介して遊技島の回収装置に回収される。
【００８０】
遊技制御装置５００は、遊技球が上部一般入賞具２３や下部一般入賞具１３に落入して各入賞具に設けられた入賞検出器から入賞検出信号が入力されたときに、球払出装置に払出指令信号を出力して払い出し作動させ、褒賞としての遊技球を機体前方の球皿に払い出させる。
【００８１】
一方、遊技領域を落下する遊技球がゲート１５を通過し、ゲートに内蔵されたゲート通過検出器１５ｓから遊技制御装置５００にゲート通過検出信号が入力されると、遊技制御装置５００はゲート通過検出信号に基づく制御フローを呼び出し、複合制御装置５０における入賞具１１０の作動を制御する。例えば役物制御手段５１０の入球部拡大装置駆動制御手段５１１から入賞具１１０の入球部拡大装置駆動ソレノイド１１３に駆動信号を出力させ、左右のチューリップ羽根１１１を0.5秒〜１秒程度の所定時間開放させて入賞口１１２を拡大させる。
【００８２】
入賞口１１２が拡大されると、入賞具１１０の周囲を転動落下する遊技球が入賞しやすくなり、次々と左右のチューリップ羽根１１１，１１１に受け止められて連続的に入賞口１１２に落入する。入賞口１１２に落入した遊技球は、役物入球検出器１１４により通過が検出されたのち導入通路１１５を流下し、図３に示すように常には閉止状態にあるシャッタ１４２の上面を転動して球貯留通路１２０に流入する。
【００８３】
役物入球検出器１１４の信号は入球判定手段５１２に入力されており、入球判定手段５１２は入力される信号から遊技球が入球したか否かを判定する。そして遊技制御装置５００では、入球判定手段５１２における判定が入球判定である場合には、貯留通路に貯留された遊技球の数量を一時記憶する貯留球メモリのメモリ値を参照し、この値が所定の最大貯留球数（例えば５個）未満であるときに、メモリ値を加算（カウントアップ）して貯留球メモリに一時記憶する。
【００８４】
また遊技制御装置５００は、貯留球メモリのメモリ値が１以上であるときに、所定条件のもと図柄制御手段５２０に図柄変動制御の開始指令信号を出力して図柄の変動を開始させる。図柄制御手段５２０では、停止図柄決定手段５２２により停止図柄の組み合わせが抽選されて決定され、図柄変動記憶手段５２１が決定された停止図柄に基づいて停止図柄に至る図柄の変動パターンを呼び出して、図柄表示装置２２の表示作動を制御する。
【００８５】
例えば、入賞口１１２に５個の遊技球が落入すると、図９における(ａ)に示すように、役物入球検出器１１４から５つのパルス状の入球検出信号が出力され、これを受けた役物入球判定手段５１２でそれぞれの入球判定が行われるとともに、貯留球メモリのメモリ値が入球判定ごとに１ずつ加算されて１，２…５まで増加する。そして図柄制御手段５２０により図柄の変動制御が開始されたときに、貯留球メモリのメモリ値が１つ減算され、残る図柄変動回数４が記憶され、その回数が例えば遊技盤に設けられた記憶表示LED（各種遊技効果ランプ）１６に表示される。これにより遊技者は透明なカバー部材５２を通して貯留通路１２０に整列待機された遊技球をパチンコ機前面側から直接視認できるとともに、残る図柄変動回数を記憶表示LEDにより確認することができる。
【００８６】
また上記のように５個の遊技球が貯留通路１２０に流入すると、流入した遊技球は図４に示すように、第１個目の遊技球が導入口２４０から最初に基準位置にある球受け部（以下、説明の便宜上「第１球受け部」という）２２２に受容され、第２〜第５個目の遊技球が貯留通路１２０に位置して停留され、入賞口１１２に落入した遊技球が流入した順に整列状態で貯留待機される。
【００８７】
このとき、第５個目の遊技球は貯留通路入り口の貯留部満杯検出器１５１の検出孔内に位置して停留される。このため貯留部満杯検出器１５１の検出信号は、図９(ｃ)に示すように第５個目の遊技球の検出信号が連続した検出状態となり、これを受けた貯留部満杯判定手段５１３は、入力された検出信号が所定時間以上連続した遊技球検出信号であることから貯留通路１２０が満杯状態であると判定する。役物制御手段５１０は、貯留部満杯判定手段５１３により貯留通路１２０が満杯状態であると判定されたときに、シャッター駆動制御手段５１４からシャッター駆動ソレノイド１４３に駆動信号を出力し図４および図９(ｄ)に示すようにシャッター１４２を開放状態に切り替えさせる。
【００８８】
このため、貯留通路１２０が満杯状態になると、満杯状態が解除されるまで貯留機構１００のシャッター１４２が排出通路１３０の上部を開く開放状態になり、導入通路１１５を通って導かれた遊技球が排出通路１３０に転落して、遊技済み球排出通路を介して遊技島の回収装置に排出される。
【００８９】
このように、貯留機構１００では、貯留通路１２０が遊技球で充満される以前の非充満状態において、入賞口１１２に落入した遊技球が確実に貯留通路１２０に導かれて入賞した順に整列状態で貯留されるとともに、貯留通路１２０が充満状態になって以降は、充満状態が解除されるまで排出通路１３０に導かれて排出される。このため、入賞口１１２最大貯留球数を超える数量の遊技球が落入しても、貯留通路１２０に既に整列貯留された遊技球に何ら影響を与えることがなく、また貯留通路１２０に貯留された第１〜第５の各遊技球に対応したゲームを次段の振り分け機構２００で的確に実行することができる。
【００９０】
一方、図柄制御手段５２０において図柄変動が停止し、図柄表示装置２２に停止図柄の組み合わせが表示されると、役物制御手段５１０は、条件達成判定手段５１８によって判定された入賞条件に基づいた駆動信号を第１回転体駆動制御手段５１５から第１回転駆動モータ２３０に出力させ、振り分け機構２００の第１回転体２２０を時計廻りまたは反時計廻りに回動させる。例えば、条件達成判定手段５１８によって判定された入賞条件が第２条件（はずれ）である場合には、図９(ｅ)に示すように第１回転駆動モータ２３０を反時計廻りに約９０度回動させる駆動信号を出力して第１回転体２２０を左回転させ、図１０および図１２に示すように遊技球が受容された第１球受け部２２２を第２導出口２６０に整合させた角度位置、すなわち第２導出位置に一時停止させる。
【００９１】
前述したように、球受け部２２２，２２２は、Ｕ字溝を形成する左右の溝壁面が底面中央を境に前後逆方向に開く傾斜面で形成されており、Ｕ字溝が上方に開く角度姿勢において左壁面が前方に開く傾斜面、右壁面が後方に開く傾斜面で構成されている。このため第１球受け部２２２に受容されて第２導出位置に配設された遊技球は、Ｕ字溝の右壁面の傾斜に従って後方に誘導され、第２導出口２６０から第２条件流路２６１に排出され、第２条件流路通過検出器２６２により通過が検出されたうえ遊技済み排出通路を介して遊技島の回収装置に排出される。
【００９２】
そして第２条件流路通過検出器２６２により遊技球が検出され、この信号を監視する遊技球排出監視手段５１７において遊技球の排出が確認されたとき、すなわち第２導出口２６０への振り分け作動によって導出された遊技球の排出処理が確認されたのち、第１回転駆動モータ２３０を再び反時計廻りに約９０度回動させる駆動信号を出力し、第２導出位置で一時停止していた第１回転体２２０を基準位置近傍まで回動させ、第１回転体モータセンサ２３５から入力される検出信号により第１回転体２２０が基準位置に到達したと判定されたときに第１回転駆動モータ２３０の回動を停止させる。
【００９３】
これにより貯留通路１２０に貯留された第１球目の遊技球の振り分け処理が完了するとともに、基準位置に配設された第１回転体２２０の下側の球受け部（以下、「第２球受け部」という）２２２が導入口２４０と位置整合して配設され、第２球目の遊技球が第２球受け部２２２に受容されて、次の振り分け作動に向けて待機保持される。
【００９４】
球貯留通路１２０では、第２球目の遊技球が第２球受け部２２２に導入されることで、通路内に貯留された遊技球がそれぞれ１個分づつ導入口側に移動し、貯留部満杯検出器１５１の信号が連続した検出状態から非検出状態に変位する。このため貯留部満杯判定手段５１３による判定が充満状態から非充満状態に変化し、シャッター駆動制御手段５１４からシャッター駆動ソレノイド１４３に出力されていた駆動信号がOFFになって、シャッター駆動ソレノイド１４３のリターンスプリングのバネ力によりシャッター１４２が閉止状態に復帰される。
【００９５】
また第１球目の振り分け処理の完了とともに、図柄制御手段５２０により第２球目の遊技球に対する図柄の抽選および変動制御が開始され、貯留球メモリのメモリ値が４→３に減算されて記憶される一方、図９(ａ)(ｂ)に示すように図柄の変動中に入賞口１１２に新たに遊技球が落入すると、貯留球メモリのメモリ値が３→４に加算されて記憶される。またこれにより貯留通路１２０が再び満杯状態となり、貯留部満杯判定手段５１３による満杯判定に基づいてシャッター１４２が開放される（図９(ｃ)および(ｄ)）。
【００９６】
図柄制御手段５２０において図柄変動が停止し、図柄表示装置２２に図柄の組み合わせが表示されると、役物制御手段５１０は、条件達成判定手段５１８によって判定された入賞条件に基づいた駆動信号を第１回転体駆動制御手段５１５から第１回転駆動モータ２３０に出力させて、第１回転体２２０を時計廻りまたは反時計廻りに回動させる。図９ではこの第２球目の遊技球に対して条件達成判定手段５１８で判定された入賞条件が第１条件（当たり）である場合を示しており、第１回転体駆動制御手段５１５は第１回転駆動モータ２３０を時計廻りに約１５０度回動させる駆動信号を出力して図９(ｅ)に示すように第１回転体２２０を右回転させ、図１１および図１３に示すように遊技球が受容された第２球受け部２２２を第１導出口２５０に整合させた角度位置、すなわち第１導出位置に一時停止させる。
【００９７】
この角度位置では、第２球受け部２２２に受容された遊技球はＵ字溝を形成する左右の溝壁面における左側の壁面に支持されており、第１導出口２５０と整合して前方が開放された遊技球がＵ字溝の左壁面の傾斜に従って前方に誘導され、第１導出口２５０から第１条件流路２５１に排出され、第１条件流路２５１を転動流下して次段の揚送機構３００に導かれる。
【００９８】
また条件達成判定手段５１８で判定された入賞条件が第１条件である場合には、遊技球制御装置５００は、役物制御手段５１０の揚送装置駆動制御手段５１６および第２回転体駆動制御手段５３０に指令信号を出力し、それぞれ揚送装置駆動モータ３２０および第２回転体駆動モータ４３０の駆動信号を出力させて、揚送機構３００の揚送スクリュー３１０および回転入賞機構４００の第２回転体４２０を回転駆動させる（図９(ｇ)および(h)）。
【００９９】
これにより、第１条件流路２５１を転動流下して揚送機構３００に導かれ、第１条件流路２５１から揚送部３０１ａに導入された遊技球は、揚送装置駆動モータ３２０により回転駆動される揚送スクリュー３１０の螺旋状の球送りプレート３１２に持ち上げられ、ガイドカバーのガイド突起３０１ｇに案内されながら鉛直上方に揚送される。揚送部３０１ａの上端部まで揚送された遊技球は、キャップ３０３の底部に形成された傾斜面に当接して後方に押し出され、上端開口から案内流路３６０に排出される。そして下流方向に傾斜する後方案内流路部３６１および中央案内流路部３６２を転動流下し、回転入賞機構４００に導かれる。
【０１００】
回転入賞機構４００に導入された遊技球は、テーパーコーン状の受け皿４１０に受け止められて第２回転体４２０の周囲を転動し、第２回転体駆動モータ４３０により回転駆動されている第２回転体４２０の４箇所の球受容孔の何れか、すなわち１箇所の特別領域または３箇所の非特別領域のうち何れかに転入する。そして特別領域に転入した遊技球は特別領域通過検出器４２１および遊技球排出検出器４２２に検出され、非特別領域に転入した遊技球は遊技球排出検出器４２２にのみ検出された後、遊技済み球排出通路を介して遊技島の回収装置に排出される。特別領域通過検出器４２１および遊技球排出検出器４２２の信号は遊技制御装置５００に入力されている。
【０１０１】
図９では回転入賞機構４００に導入された遊技球が特別領域に転入した例を示しており、図９(ｉ)(ｊ)に示すように、特別領域に転入した遊技球が特別領域通過検出器４２１および遊技球排出検出器４２２に検出され、遊技済み球排出通路を介して遊技島の回収装置に排出される。遊技制御装置５００における特別遊技判定実行手段５４０では、特別領域通過検出器４２１の検出信号から特別領域通過判定手段５４１ａにおいて特別領域の通過判定がなされ、この通過判定および遊技機の作動状況に基づいて特別遊技移行判定手段５４１で特別遊技への移行判定がなされる。特別遊技実行手段５４２では特別遊技への移行判定を受けて特別遊技の実行プログラムが起動され、開閉入賞機構４５０による特別遊技が実行される（図９(ｋ)）。
【０１０２】
具体的には、特別遊技実行手段５４２における大入賞口開閉駆動制御手段５４２ａから大入賞口開閉駆動ソレノイド４５２に開放指令信号が出力され、開閉扉４５１の上部が所定期間（例えば30秒程度の所定時間、あるいは入賞球数が10個入賞するまでの期間）左方にほぼ９０度傾倒されて大入賞口が開放される。大入賞口に落入した遊技球は大入賞口入賞検出器４５３に検出され、装飾枠２１に形成された入賞球排出通路および遊技済み球排出通路を介して遊技島の回収装置に排出される。大入賞口入賞検出器４５３から入賞検出信号を受けた遊技制御装置５００は、入賞球数に応じた指令信号を球払出装置に出力して褒賞としての遊技球を球皿に払い出させる。
【０１０３】
また遊技球制御装置５００は、遊技球排出検出器４２２からの信号を監視する遊技球排出監視手段５１７において遊技球の排出が確認されたとき、すなわち第１導出口２５０への振り分け作動によって導出された遊技球の排出処理が確認されたのち、第１回転駆動モータ２３０を再び時計廻りに約３０度回動させる駆動信号を出力し、第１導出位置で一時停止していた第１回転体２２０を基準位置近傍まで回動させ、第１回転体モータセンサ２３５から入力される検出信号により第１回転体２２０が基準位置に到達したと判定されたときに第１回転駆動モータ２３０の回動を停止させる。
【０１０４】
これにより貯留通路１２０に貯留された第２球目の遊技球の振り分け処理が完了するとともに、基準位置に配設された第１回転体２２０の第１球受け部２２２が導入口２４０と位置整合して配設され、第３球目の遊技球が第１球受け部２２２に受容されて、次の振り分け作動に向けて待機保持される。
【０１０５】
ここで、振り分け機構２００では、球受け部２２２が第１回転体２２０の回転軸を中心として全周を２等分した角度ピッチθ＝１８０度で２箇所形成され、導入口２４０に対する第１導出口２５０の角度位置θ1＝１５０度、および導入口２４０に対する第２導出口２６０の角度位置θ2＝９０度が、いずれも球受け部２２２，２２２の形成角度ピッチθよりも小さく形成されている。このため、基準位置にある第１球受け部に受容した遊技球を第１導出口２５０（または第２導出口２６０）に向けて移動させている間に軸対称位置にある第２球受け部が導入口２４０に接近し、第１球受け部の遊技球を第１導出口２５０（第２導出口２６０）に排出したのち第１回転体２２０をわずか３０度程度（９０度程度）回動させることで、第２球受け部が導入口２４０に配設される。すなわち、振り分け機構２００では第１球受け部を元の角度位置まで戻す必要がなく、第１球受け部の回動による振り分け作動とともに第２球受け部が導入口２４０に移動して基準位置に配設される。このため、従来振り分け時間と同程度の時間、あるいは振り分け作動以上の時間を要していた復帰作動の時間を大幅に削減することができ、基準位置への復帰を待って行われる次の遊技を、わずかなインターバルで開始することができる。
【０１０６】
また、球受け部が第１回転体２２０の全周を２等分した角度ピッチで形成されていることから、第１回転体２２０の回動方向が時計廻りまたは反時計廻りに連続する場合、あるいは時計廻り・反時計廻りに反転を繰り返す場合のいずれであっても、第１回転体２２０の回動開始〜第２球受け部が基準位置に配設されるまでの作動時間を、第１回転体２２０が１／２回転する一定時間にすることができる（図９(ｅ)を参照）。
【０１０７】
さらに、図１４に示すように、導入口２４０で球受け部２２２に受容された遊技球は、回転体ケース２１２の内周面に支持されて回転軸の軸心ＯからＲ1の半径距離に待機保持されるが、第１回転体２２０の回動により軸心を通る水平線よりも上方に移動されると、球受け部２２２に受容された遊技球は球受け部２２２のＵ字溝の内周面に支持され、軸心ＯからＲ2の半径距離（Ｒ2＜Ｒ1）で第１導出口２５０に向けて移動する。このため、導入口２４０に対する第１導出口２５０の角度位置θ1は、半径距離Ｒ2に位置する遊技球が第１導出口２５０を通過可能な角度位置であれば良く、半径距離Ｒ1に位置する遊技球が通過可能な角度位置よりも小さく設定することができる。これにより、球受け部２２２に受容された遊技球を第１導出口２５０に排出させる振り分け時間を短縮させることができ、迅速な振り分け作動を実現することができる。
【０１０８】
従って、以上説明した複合入賞装置５０によれば、個々の入賞球に固有の意義を持たせて１：１対応のゲーム展開を実現できることに加えて、振り分け機構に導かれた遊技球を連続して振り分け案内する遊技形態であっても振り分け処理を迅速且つ均等に行うことができ、ゲーム展開の抑揚を明確化するとともに稼働の低下を防止した入賞装置を提供することができる。さらに、限られた遊技盤面を有効に活用した自由なレイアウト設計のもとで趣向に富んだ斬新なゲーム構成の遊技機を提供することができる。
【図面の簡単な説明】
【０１０９】
【図１】パチンコ機の遊技盤に装着した状態の複合入賞装置、および遊技盤から取り外した状態の複合入賞装置を示す正面図である。
【図２】複合入賞装置の分解斜視図である。
【図３】装置正面のカバー部材を取り外した状態で、貯留通路が充満される以前の様子を示す複合入賞装置の正面図である。
【図４】装置正面のカバー部材を取り外した状態で、貯留通路が充満されて以降の様子を示す複合入賞装置の正面図である。
【図５】図１中のV〜矢視の平断面図である。
【図６】図１中のVI〜矢視の平断面図である。
【図７】図１中のVII〜矢視の側断面図である。
【図８】複合入賞装置の制御形態を概要的に示すブロック図である。
【図９】複合入賞装置と特別入賞装置の各部の作動タイミングを例示するタイミングチャートである。
【図１０】第１回転体の球受け部が第２導出口と整合した角度位置で一時停止した状態における複合入賞装置の背面図である。
【図１１】第１回転体の球受け部が第１導出口と整合した角度位置で一時停止した状態における複合入賞装置の背面視の断面図である。
【図１２】第１回転体の球受け部が第２導出口と整合した角度位置で一時停止した状態における複合入賞装置の正面図（部分断面図）である。
【図１３】第１回転体の球受け部が第１導出口と整合した角度位置で一時停止した状態における複合入賞装置の正面図（部分断面図）である。
【図１４】導入口と第１導出口との関係を示す振り分け機構部の説明図（正面図）である。
【符号の説明】
【０１１０】
Ｏ  回転軸の軸心
ＰＡ  遊技領域
Ｒ1  基準位置における遊技球の半径位置
Ｒ2  第１導出位置における遊技球の半径位置
θ1  導入口に対する第１導出口の角度位置
θ2  導入口に対する第２導出口の角度位置
１０  遊技盤
１１  化粧板
１３  下部一般入賞具
１５  ゲート（１５ｓ  ゲート通過検出器）
１６  記憶表示LED
１８  アウト口
２０  中央飾り
２１  装飾枠
２２  図柄表示装置
２３  上部一般入賞具（２３Ｌ  左側の上部一般入賞具、２３Ｃ  中央の上部一般入賞具、２３Ｒ  右側の上部一般入賞具）
４０  特別入賞装置
５０  複合入賞装置
５１  ハウジング
５２  カバー部材
１００  貯留機構
１０１  シャッターベース
１０２  ガイドレール
１０３  ソレノイド装着部
１０４  スライドアングル挿通孔
１０５  支ピン
１１０  入賞具
１１１  チューリップ羽根
１１２  入賞口
１１３  入球部拡大装置駆動ソレノイド
１１４  役物入球検出器
１１５  導入通路
１２０  貯留通路
１３０  排出通路
１４０  流路切り替え構造
１４２  シャッター（１４２ｐ  連結ピン）
１４３  シャッター駆動ソレノイド
１４４  スライドアングル（１４４ａ，１４４ｂ  駆動伝達突起）
１４５  スウィングアーム
１５０  充満検出手段
１５１  貯留部満杯検出器
２００  振り分け機構
２１０  回転盤収容部
２１１  回転盤ベース
２１２  回転体ケース
２２０  第１回転体
２２２  球受け部
２３０  第１回転体駆動モータ
２３５  第１回転体モータセンサ
２４０  導入口
２５０  第１導出口
２５１  第１条件流路
２６０  第２導出口
２６１  第２条件流路
２６２  第２条件流路通過検出器
３００  揚送機構
３０１  ガイドカバー
（３０１ａ  揚送部、３０１ｂ  ギヤ収容部、３０１ｇ  ガイド突起、３０１ｓ仕切壁）
３０２  モータベース
３０３  キャップ
３１０  揚送スクリュー
３１１  回転軸
３１２  球送りプレート
３２０  揚送装置駆動モータ
３３０  駆動力伝達構造
３３１  駆動ギヤ
３３２  伝達ギヤ
３３３  従動ギヤ
３６０  案内流路
３６１  後方案内流路部
３６２  中央案内流路部
４００  回転入賞機構
４１０  受け皿
４２０  第２回転体
４２１  特別領域通過検出器
４２２  遊技球排出検出器
４３０  第２回転体駆動モータ
４５０  開閉入賞機構
４５１  開閉扉
４５２  大入賞口開閉駆動ソレノイド
４５３  大入賞口入賞検出器
５００  遊技制御装置
５１０  役物制御手段
５１１  入球部拡大装置駆動制御手段
５１２  役物入球判定手段
５１３  貯留部満杯判定手段
５１４  シャッター駆動制御手段
５１５  第１回転体駆動制御手段
５１６  揚送装置駆動制御手段
５１７  遊技球排出監視手段
５１８  条件達成判定手段
（５１８ａ  第１条件達成判定手段、５１８ｂ  第２条件達成判定手段）
５２０  図柄制御手段
５２１  図柄変動記憶手段
５２２  停止図柄決定手段
５３０  第２回転体駆動制御手段
５４０  特別遊技判定実行手段
５４１  特別遊技移行判定手段（５４１ａ  特別領域通過判定手段）
５４２  特別遊技実行手段（５４２ａ  大入賞口開閉駆動制御手段）
【図１】
2005342349.tif 000003
【図２】
2005342349.tif 000004
【図３】
2005342349.tif 000005
【図４】
2005342349.tif 000006
【図５】
2005342349.tif 000007
【図６】
2005342349.tif 000008
【図７】
2005342349.tif 000009
【図８】
2005342349.tif 000010
【図９】
2005342349.tif 000011
【図１０】
2005342349.tif 000012
【図１１】
2005342349.tif 000013
【図１２】
2005342349.tif 000014
【図１３】
2005342349.tif 000015
【図１４】
2005342349.tif 000016